(57)【要約】【課題】財布、定期入れ、名刺入れ、携帯電話のように洗ってはいけないような物品に対して、洗濯乾燥などの特定行為を禁止する無線ＩＣタグを提供することを目的とする。【解決手段】無線ＩＣタグ１２は、洗濯乾燥などの特定行為を禁止する情報を含むものである。これを読取手段２で読み取り処理手段３により、洗濯乾燥の行為を禁止して損傷から守り、破損あるいは変色あるいは変質させてしまうというトラブルを未然に防ぐことができる。【選択図】図１
2006129916.tif 000002
【特許請求の範囲】
【請求項１】
特定行為を禁止（または許可）する情報を含む無線ＩＣタグ。
【請求項２】
特定行為を禁止（または許可）する情報は、洗濯あるいは乾燥を禁止（または許可）する情報である請求項１に記載の無線ＩＣタグ。
【請求項３】
特定行為を禁止（または許可）する情報は、塩素あるいはサラシ粉の使用を禁止（または許可）する情報である請求項１に記載の無線ＩＣタグ。
【請求項４】
特定行為を禁止（または許可）する情報は、食器洗いあるいは食器乾燥を禁止（または許可）する情報である請求項１に記載の無線ＩＣタグ。
【請求項５】
特定行為を禁止（または許可）する情報は、加熱あるいは冷却を禁止する（または許可）情報である請求項１に記載の無線ＩＣタグ。
【請求項６】
特定行為を禁止（または許可）する情報を含む無線ＩＣタグを検知した場合、特定行為を行わない（行う）ようにした装置。
【請求項７】
特定行為を禁止（または許可）する情報を含む無線ＩＣタグを検知した時点で、警告を発するようにした装置。
【請求項８】
請求項６または７に記載の装置における機能の少なくとも一部をコンピュータに実行させるためのプログラム。
【発明の詳細な説明】
【技術分野】
【０００１】
本発明は、非接触でデータを読み書きできる無線ＩＣタグとそれを利用した装置およびプログラムに関するものである。
【背景技術】
【０００２】
従来、例えば、洗濯乾燥機では、水や洗剤を使用して洗濯するので、汚れの種類によっては綺麗に洗濯できないことや、反対に水や洗剤のために被洗濯乾燥物を傷めてしまうということがあった。そのため、非接触ＩＣタグを被洗濯乾燥物に付してその被洗濯乾燥物に応じた洗濯制御を行い、更には使用者の好みまで反映する方式が提案されている（例えば、特許文献１参照）。
【特許文献１】特開２００４−１９５０６３号公報
【発明の開示】
【発明が解決しようとする課題】
【０００３】
しかしながら、前記従来の構成では、洗濯乾燥機で洗濯可能な被洗濯乾燥物に対しては有効であるが、財布、定期入れ、名刺入れ、携帯電話のように洗ってはいけないような物品が衣類のポケットに間違って入れたままで洗濯乾燥させてしまうといった危険性を排除するものではなかった。財布などをズボンのポケットに入れたことに気がつかないまま洗濯乾燥させてしまい、財布はもちろん中のお札もボロボロにしてしまうという経験は誰しも思い当たるところである。
【０００４】
本発明は、前記従来の課題を解決するもので、財布、定期入れ、名刺入れ、携帯電話のように洗ってはいけないような物品に対して、洗濯乾燥などの特定行為を禁止する無線ＩＣタグとそれを利用した装置およびプログラムを提供することを目的とする。
【課題を解決するための手段】
【０００５】
前記従来の課題を解決するために、本発明の無線ＩＣタグは、特定行為を禁止（または許可）する情報を含むものである。これにより、特定の行為を禁止した物品を人為的ミスなどにより破壊してしまうことを予め防止することができる。
【０００６】
また、本発明の装置は、特定行為を禁止（または許可）する情報を含む無線ＩＣタグを検知した場合、特定行為を行わない（または許可する）ようにしたものである。これにより、特定の行為を禁止した物品が存在した場合は、例えば、洗濯乾燥スイッチが押されても洗濯乾燥を行わないものである。
【０００７】
また、本発明のプログラムは、装置における機能の少なくとも一部をコンピュータに実行させるものである。これにより、装置の一部あるいは全てをプログラムとして容易に実現することができるものである。
【発明の効果】
【０００８】
本発明の無線ＩＣタグとそれを利用した装置およびプログラムは、特定の行為を禁止（または許可）した物品を人為的ミスなどにより破壊してしまうことを予め防止することができる。
【発明を実施するための最良の形態】
【０００９】
第１の発明は、特定行為を禁止（または許可）する情報を含む無線ＩＣタグとすることにより、無線ＩＣタグが貼付された物品に対して特定の行為を禁止（または許可）して、例えば、破損あるいは変色あるいは変質させてしまうというトラブルを未然に防ぐことができる。
【００１０】
第２の発明は、特に、第１の発明において、特定行為を禁止（または許可）する情報は、洗濯あるいは乾燥を禁止（または許可）する情報であることにより、洗濯・乾燥できない（可能とする）物品に無線ＩＣタグを貼付しておくことにより、洗濯・乾燥機に具備した読取手段で無線ＩＣタグからデータを読み取り、禁止物品であると判断した場合には洗濯・乾燥という動作に入らない、あるいは洗濯・乾燥機に具備した警報装置から報知することができる。これにより、誤って洗濯・乾燥してはいけない物品を洗濯・乾燥機に入れてしまっても洗濯・乾燥しない、あるいは入れた時点で、そのことを報知するので、その場で即座にミスに気づくことができ、物品を破損、変色、変質させてしまうというトラブルを未然に防ぐことができる。
【００１１】
第３の発明は、特に、第１の発明において、特定行為を禁止（または許可）する情報は、塩素あるいはサラシ粉の使用を禁止（または許可）する情報であることにより、塩素、サラシ粉を使用してはいけない物品に対してトラブルを未然に防ぐことができる。
【００１２】
第４の発明は、特に、第１の発明において、特定行為を禁止（または許可）する情報は、食器洗いあるいは食器乾燥を禁止（または許可）する情報であることにより、食器洗い・乾燥してはいけない物品に対してトラブルを未然に防ぐことができる。
【００１３】
第５の発明は、特に、第１の発明において、特定行為を禁止（または許可）する情報は、加熱あるいは冷却を禁止する（または許可）情報であることにより、加熱・冷却してはいけない物品に対してトラブルを未然に防ぐことができる。
【００１４】
第６の発明は、特定行為を禁止する（または許可）情報を含む無線ＩＣタグを検知した場合、特定行為を行わないようにした装置とすることにより、無線ＩＣタグが貼付された物品に対して特定の行為を禁止して損傷から守り、破損あるいは変色あるいは変質させてしまうというトラブルを未然に防ぐことができる。
【００１５】
第７の発明は、特定行為を禁止する（または許可）情報を含む無線ＩＣタグを検知した時点で、警告を発するようにした装置とすることにより、特定の行為が禁止（または許可）された物品に無線ＩＣタグが貼付され、その物品が装置に入れられた瞬間に警告を発することができ、より迅速に利用者がミスに気づくことが期待できる。
【００１６】
第８の発明は、第６または第７の発明の装置における機能の少なくとも一部をコンピュータに実行させるためのプログラムとすることにより、ＣＰＵ、ＲＡＭ、ＲＯＭ、記憶装置、Ｉ／Ｏなどを備えた電気情報機器、コンピュータなどのハードリソースを協働させて本発明の装置の一部あるいは全てをプログラムとして容易に実現することができる。また記録媒体に記録あるいは通信回線を用いてプログラム配信することにより、プログラム配布が他の手段に比べて極めて簡単に実現できる。
【００１７】
以下、本発明の実施の形態について、図面を参照しながら説明する。なお、この実施の形態によって本発明が限定されるものではない。
【００１８】
（実施の形態１）
図１は、本発明の実施の形態１における無線ＩＣタグの使用例を示すものである。
【００１９】
図に示すように、洗濯乾燥機１は、無線ＩＣタグのデータを読み取る読取手段２、そのデータを処理する処理手段３、そしてその判定結果により洗濯乾燥機能を制御する洗濯乾燥制御手段４を具備している。
【００２０】
洗濯乾燥機１に入れられた被洗濯乾燥物１０にはポケットの中に物品１１が入っており、この物品１１は洗濯乾燥してはいけない定期入れ、財布、名刺入れ、腕時計、携帯電話などであって、洗濯乾燥を禁止する情報を含む無線ＩＣタグ１２が貼付、もしくは封入されている。この無線ＩＣタグ１２のデータを読取手段２が読み出し、読み込まれたデータは処理手段３にて処理される。
【００２１】
なお、無線ＩＣタグ１２は洗濯乾燥機で洗濯乾燥可能かどうかの情報を含むデータを持っており、読取手段２で読み出すことができる。無線ＩＣタグ１２から読み取られたデータは処理手段３にて処理される。洗濯乾燥を禁止している情報が含まれていれば洗濯乾燥制御手段４を介して、洗濯乾燥禁止処理を行う。洗濯乾燥を禁止している情報がなければ同様に洗濯乾燥開始処理を行う。
【００２２】
図２は、無線ＩＣタグ１２を使用した装置の動作シーケンスの一例を示す。ステップ２１で洗濯乾燥を開始するかどうかを監視して、開始になった時点でステップ２２において洗濯乾燥機内に入れられている物品１１の無線ＩＣタグ１２からデータを読み出す。ステップ２３においてステップ２２で読み込んだデータに洗濯乾燥機が禁止されているものがあるかどうかを判定し、一つでも該当するものがあればステップ２５において洗濯乾燥を禁止する。該当するものが一つもなかった場合にはステップ２４において洗濯乾燥を開始する。
【００２３】
なお、洗濯乾燥機で説明したが、洗濯機または乾燥機でもよい。
【００２４】
（実施の形態２）
図３は、本発明の実施の形態２における無線ＩＣタグの使用例を示すものである。
【００２５】
図に示すように、洗濯乾燥機１は、無線ＩＣタグのデータを読み取る読取手段２、そのデータを処理する処理手段３、そしてその判定結果により警報を報知して注意を喚起するための警報報知手段５を具備している。被洗濯乾燥物１０、物品１１、無線ＩＣタグ１２については、実施の形態１と同様である。ここで、洗濯してはいけない被洗濯乾燥物１０を検知した場合には、警報報知手段５により報知する。報知には光、音、音声、振動、表示などのいずれか、もしくはその組合せでも構わない。
【００２６】
図４は、洗濯乾燥機の動作シーケンスの一例を示す。ステップ３１で被洗濯乾燥物洗い乾燥の扉、蓋が開いているかどうかを監視して、開いた時点でステップ３２において、常時、無線ＩＣタグ１２からデータを読み出す。ステップ３３においてステップ３２で読み込んだデータに洗濯乾燥物洗いが禁止されたものがあるかどうかを判定し、一つでも該当するものがあればステップ３４にて洗濯不可として警報報知する。該当するものが一つもなかった場合には、再度ステップ３１から繰り返す。
【００２７】
これにより洗濯乾燥機の扉、蓋が開けられて被洗濯乾燥物１０が入れられた時に即座にその被洗濯乾燥物１０に含まれた物品１１の無線ＩＣタグ１２からデータを読み出し、洗濯乾燥不可能な被洗濯乾燥物を発見しだい警報報知する。また、扉、蓋が開いているかどうかに関わらず、常時、無線ＩＣタグ１２のデータを読み出す、あるいは洗濯乾燥のスイッチがＯＮされた時だけに無線ＩＣデータ１２を読み出して同様の警報報知をしても構わない。
【００２８】
また、本実施の形態で説明した手段は、ＣＰＵ（またはマイコン）、ＲＡＭ、ＲＯＭ、記憶・記録装置、Ｉ／Ｏなどを備えた電気・情報機器、コンピュータなどのハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００２９】
また、本実施例では非常に限られた用途だけを例として用いているが、洗濯乾燥禁止以外にも、塩素やサラシ粉の使用を禁止、あるいは、食器洗い・食器乾燥を禁止、あるいは、加熱あるいは冷却を禁止、あるいは、凍結防止などにも適用可能で、いずれの場合にも同等の効果を発揮するものである。
【００３０】
なお、本実施の形態では特定の行為を禁止する情報を無線ＩＣタグで説明したが、これを逆の論理として、特定行為を許可する情報を含む無線ＩＣタグとしてもよい。処理手段３は無線ＩＣタグが許可した行為のみを実行する。
【産業上の利用可能性】
【００３１】
以上のように、本発明にかかる無線ＩＣタグとそれを利用した装置およびプログラムは、特定の行為を禁止した物品を人為的ミスなどにより破壊してしまうことを予め防止することができるので、洗濯乾燥機、食器洗い乾燥機などにかかわらず各種の装置に適用することができる。
【００３２】
また、無線ＩＣタグを貼付、もしくは封入された物品は、定期入れ、財布、名刺入れ、腕時計、携帯電話に限らない。
【００３３】
また、本発明では
【図面の簡単な説明】
【００３４】
【図１】本発明の実施の形態１における無線ＩＣタグの使用例を示す図
【図２】同無線ＩＣタグを使用した装置の動作シーケンスの一例を示す図
【図３】本発明の実施の形態２における無線ＩＣタグの使用例を示す図
【図４】同無線ＩＣタグを使用した装置の動作シーケンスの一例を示す図
【符号の説明】
【００３５】
１  洗濯乾燥機
２  読取手段
３  処理手段
４  洗濯乾燥制御手段
５  警報報知手段
１０  被洗濯乾燥物
１１  物品
１２  無線ＩＣタグ
【図１】
2006129916.tif 000003
【図２】
2006129916.tif 000004
【図３】
2006129916.tif 000005
【図４】
2006129916.tif 000006